(57)【要約】【課題】後入れ端子を挿入するコネクタの極数及び段数、後入れ端子収容位置が変わっても共用できる仮保持治具を提供する。【解決手段】後入れ端子と該端子に接続した部分の電線の前後開口の保持溝を備えた本体と蓋とからなり、前記本体の一方側壁に連結部を設けると共に他方側壁に被連結部を設けている一個以上の端子保持材（１１）と、コネクタの一側外壁に当接させる縦枠部と、前記コネクタの上壁に当接させる横枠部とを備えたＬ字状の位置決め材（１２）を備え、前記端子保持材の本体の一方側壁の外面からコネクタ側に取付板を着脱自在に突設すると共に、前記位置決め材の縦枠部の内面の前記取付板と着脱自在に連結する被取付部を凹設し、前記端子保持材の取付板に前記位置決め材の被取付部を連結し、該端子保持材のコネクタ挿入面を前記コネクタの端子挿入側面に接触させると、前記位置決め材の縦枠部と横枠部とが前記コネクタの側壁外面および上壁外面に外嵌保持される構成としている。【選択図】図２
2015011908.tif 000002
【特許請求の範囲】
【請求項１】
電線端末に接続された後入れ端子をコネクタの端子収容室に挿通するまで仮保持する治具であって、
前記後入れ端子保持用の前後開口の保持溝を備えた本体と蓋とからなる端子保持材と、
前記コネクタの一側外壁に当接させる縦枠部と、前記コネクタの上壁に当接させる横枠部とを備えたＬ字状の位置決め材を備え、
前記端子保持材の本体の一方側壁の外面からコネクタ側に取付板を着脱自在に突設すると共に、前記位置決め材の縦枠部の内面の前記取付板と着脱自在に連結する被取付部を凹設し、
前記端子保持材の取付板に前記位置決め材の被取付部を連結し、該端子保持材のコネクタ挿入面を前記コネクタの端子挿入側面に接触させると、前記位置決め材の縦枠部と横枠部とが前記コネクタの側壁外面および上壁外面に外嵌保持される構成としている後入れ端子の仮保持治具。
【請求項２】
前記後入れ端子は電線圧着部から細幅となるタブが突出し、該タブ幅が１ｍｍ未満の端子である請求項１に記載の後入れ端子の仮保持治具。
【請求項３】
前記端子保持材は、前記本体と蓋の他方側壁をヒンジで連結すると共に、一方側壁に係止部を設け、該係止部と係止できる被係止部を前記他方側壁に設け、
また、前記保持溝は１つ又は幅方向に並列に設けた２〜４個とし、
前記保持溝は前記本体と蓋に対向して設けた前後開口の凹部からなり、前記本体の凹部に前記端子および電線の下側部を嵌合すると共に前記蓋の凹部に前記端子および電線の上側部を嵌合した状態で、前記本体と蓋とを係止して閉じる構成としている請求項１または請求項２に記載の後入れ端子の仮保持治具。
【請求項４】
前記位置決め材の前記縦枠部の高さは２段〜４段等の多段コネクタに対応できるものとし、かつ、該縦枠部の内面に凹設する前記被取付部は高さ方向の全長に設ける一方、前記端子保持材に着脱自在に取り付けて突設する取付板は１段用とし、該端子保持材の取付板を前記位置決め材の被取付部の任意の高さ位置に調節して連結して、該端子保持材の高さを任意の段に位置させている請求項１乃至請求項３のいずれか１項に記載の後入れ端子の仮保持治具。
【請求項５】
前記端子保持材は縦横方向に任意の個数連結できる嵌合凸部と嵌合凹部を設けている請求項１乃至請求項４のいずれか１項に記載の後入れ端子の仮保持治具。
【発明の詳細な説明】
【技術分野】
【０００１】
本発明は後入れ端子の仮保持治具に関し、詳しくは、電線端末に接続した端子が超幅狭な脆弱端子で、該端子を電線を把持してコネクタに挿入する後入れ時に端子を保護すると共にコネクタへの誤挿入発生を防止する後入れ端子用仮保持治具に関するものである。
【背景技術】
【０００２】
多数本の電線を集束してなるワイヤハーネスの製造工程では、図８に示すように、電線の両端末に接続した端子をそれぞれコネクタＣ１，Ｃ２に挿入係止してサブハーネスＡ、コネクタＣ３、Ｃ４に挿入係止してサブバーネスＢを設ける。ついで、仮結束した複数のサブハーネスＡ、Ｂを本結束してワイヤハーネスを完成している。該製造工程において、サブハーネスＡでコネクタに未挿入の端子atがあると、作業者が電線を把持して該端子atをサブハーネスＢのコネクタＣ４に挿入する必要があり、従来、この端子atを後入れ端子と称している。
【０００３】
従来、本出願人は特開平８−６４３３３号公報において、この種の後入れ端子の仮保持治具を提供している。該治具は図９に示すように、コネクタ１００と同極数の端子収容室１０１を備えた仮保持治具１２０を設け、該仮保持治具１２０の端子収容室１０１に後入れ端子atを仮保持している。
【先行技術文献】
【特許文献】
【０００４】
【特許文献１】特開平８−６４３３３号公報
【発明の概要】
【発明が解決しようとする課題】
【０００５】
後入れ端子が幅狭で微小な脆弱端子であると、作業員が把持してコネクタ内に後入れ挿入する際に、該脆弱端子を確実の保護する必要があり、前記特許文献１の後入れ端子の仮保持治具に後入れ端子を予め収容保持しておくと、該端子の保護を図ることができ、かつ、コネクタへの誤挿入を防止できる。
【０００６】
しかしながら、前記特許文献１の後入れ端子の仮保持治具は、コネクタと同極数の端子収容室を設けているため、極数が相違するコネクタに共用できず汎用性がない。また、コネクタの端子収容室が一列の一段の場合に用いることが出来るが、多段のコネクタに用いることができない問題がある。
【０００７】
本発明は前記問題に鑑みてなされたもので、コネクタの極数が相違しても共用でき、かつ、多段のコネクタに対しても用いることができ、汎用性に優れた後入れ端子の仮保持治具を提供することを課題としている。
【課題を解決するための手段】
【０００８】
前記課題を解決するため、本発明は、電線端末に接続された後入れ端子をコネクタの端子収容室に挿通するまで仮保持する治具であって、
前記後入れ端子保持用の前後開口の保持溝を備えた本体と蓋とからなる端子保持材と、
前記コネクタの一側外壁に当接させる縦枠部と、前記コネクタの上壁に当接させる横枠部とを備えたＬ字状の位置決め材を備え、
前記端子保持材の本体の一方側壁の外面からコネクタ側に取付板を着脱自在に突設すると共に、前記位置決め材の縦枠部の内面の前記取付板と着脱自在に連結する被取付部を凹設し、
前記端子保持材の取付板に前記位置決め材の被取付部を連結し、該端子保持材のコネクタ挿入面を前記コネクタの端子挿入側面に接触させると、前記位置決め材の縦枠部と横枠部とが前記コネクタの側壁外面および上壁外面に外嵌保持される構成としている後入れ端子の仮保持治具を提供している。  
【０００９】
本発明の後入れ端子の仮保持治具は、前記のように端子保持材と位置決め材とからなり、サブハーネスの本結束時に他のサブハーネスのコネクタに端子を後入れ挿入するまで、該電線端末に接続した後入れ端子を前記端子保持材に収容して保護している。これにより、後入れ端子が微小な脆弱端子であってもコネクタの挿入前に変形が発生しないように保護できる。
前記後入れ端子のコネクタへの後入れ時、前記端子保持材に前記位置決め材を連結し、該位置決め材をコネクタの側壁外面と上壁外面に接触させて位置決めすると共に前記端子保持材のコネクタ挿入面をコネクタの端子挿入面に押し当てた状態として、端子保持材から外方へ引き出されている電線を前方に押して、端子保持材内に収容した後入れ端子をコネクタの端子収容室内に挿入している。この後入れ端子の挿入時に端子に連続する電線部分は端子保持材の保持溝に保持されているため、後入れ端子および連続する電線を直線に保持してコネクタに挿入でき、後入れ端子が下向き等に変形して損傷が生じるのを防止できる。
【００１０】
本発明の端子保持材で保持する後入れ端子は電線圧着部から細幅となるタブが突出し、該タブ幅が０．６４ｍｍ等の１ｍｍ未満の微小オス端子である場合に特に好適に用いられる。
タブ幅が０．６４ｍｍ等の１ｍｍ未満であると、コネクタ挿入時に電線を把持してコネクタへ差し込む際や運搬時に他部材との干渉で折れや損傷が非常に発生しやすい。よって、本発明の仮保持治具に保持して保護しておく必要がある。
【００１１】
前記端子保持材は、前記本体と蓋の他方側壁をヒンジで連結すると共に、一方側壁に係止部を設け、該係止部と係止できる被係止部を前記他方側壁に設け、
また、前記保持溝は１つまたは幅方向に並列に設けた２〜４個とし、
前記保持溝は前記本体と蓋に対向して設けた前後開口の凹部からなり、前記本体の凹部に前記端子および電線の下側部を嵌合すると共に前記蓋の凹部に前記端子および電線の上側部を嵌合した状態で、前記本体と蓋とを係止して閉じる構成としていることが好ましい。
なお、本体側にのみ凹部を設け、該凹部に端子および電線を挿入した状態で蓋を示すようにしてもよい。
【００１２】
端子保持材は必要個数を連結できるようにしているため、１つの端子保持材には１つの保持溝を設けて１個の端子を保持する構成としてもよいが、１つの端子保持材に２個の保持溝を並列に設け、２個の端子を保持できるようにすると最も使い勝手が良くなる。
例えば、多極コネクタの中央位置の端子収容室にのみ後入れ端子を挿入する場合、端子を挿入していない空きの端子保持材に、端子を挿入保持した端子保持材を並列に連結し、前記空きの端子保持材に前記位置決め材を連結し、該位置決め材により位置決めされた時に、後入れ端子を保持した位置がコネクタの後入れ端子の端子収容室に対向させることができる。
【００１３】
前記位置決め材の前記縦枠部の高さは２段〜４段等の多段コネクタに対応できるものとし、かつ、該縦枠部の内面に凹設する前記被取付部は高さ方向の全長に設ける一方、前記端子保持材に着脱自在に取り付けて突設する取付板は１段用とし、該端子保持材の取付板を前記位置決め材の被取付部の任意の高さ位置に連結し、該端子保持材の高さを任意の段に位置させるようにしている。  
【００１４】
具体的には、端子保持材に着脱自在に突設する取付板は、該端子保持材の本体のコネクタ側端から突設した平板の外面に係止爪を上下複数段で設ける一方、前記位置決め材の縦枠部の内面に凹設する被取付部は前記係止爪と係止する被係止段を上下複数段備え、前記取付板の係止爪を被取付部の任意の被係止段に係止した状態で高さ位置を調節して連結できる。かつ、連結状態で取付板は被取付部の凹部に嵌合し、取付板の外面が縦枠部の内面と段差なく連続できるように設定している。
これにより、位置決め材の縦枠部の内面をコネクタの側壁外面にぴったりと当接させることができる。かつ、位置決め材に連結した端子保持材の高さをコネクタの所要段に対向する位置に保持できる。
【００１５】
前記端子保持材に設ける前記凹部からなる保持溝は、コネクタ側となる長さ方向の前部幅は端子幅に対応した大きさとし、電線側となる後部の幅は電線径に応じた幅としている。
この端子保持材に設ける保持溝の幅は保持する端子のサイズによって変更している。言い換えれば、保持する後入れ端子が相違すると共用出来ないが、保持する後入れ端子のサイズが同じであれば、後入れするコネクタの極数、段数、後入れ端子を挿入する端子収容部の位置が相違していても共用できる。
【００１６】
さらに、前記端子保持材は縦横方向に任意の個数連結できる嵌合凸部と嵌合凹部を設けていることが好ましい。
即ち、端子保持材の一側壁に横方向連結用の嵌合凸部を設けると、他側壁に嵌合凹部をもうけている。また、端子保持材の本体の底壁に上下縦方向連結用の嵌合凸部と嵌合凹部を並設し、蓋の上壁に嵌合凹部と嵌合凸部とを設けている。
【発明の効果】
【００１７】
前述したように、本発明の後入れ端子の仮保持治具は、多極多段のコネクタの任意の位置の端子収容室に後入れする端子を仮保持して保護できると共に、後入れ時にコネクタの後入れ端子収容室と対応する位置に後入れ端子を位置させることができる。よって、コネクタへの後入れ時に、位置決め材でコネクタに対して位置決め保持した状態で、端子保持材に収容した後入れ端子を対向する端子収容室に押し込むだけでよく、端子の後入れ作業性が良いと共に、コネクタへの誤挿入発生も防止できる。
【図面の簡単な説明】
【００１８】
【図１】サブハーネスを本結束してワイヤハーネスを組み立てる工程で生じる後入れ端子を示す説明図である。
【図２】本発明の実施形態を示す斜視図である。
【図３】（Ａ）は端子保持材に後入れ端子を挿入する前の状態を示す斜視図、（Ｂ）は挿入後の保持状態を示す斜視図、（Ｃ）は端子保持材に挿入された後入れ端子の状態を示す断面図である。
【図４】（Ａ）は端子保持材の蓋を開いた状態の平面図、（Ｂ）は端子保持材の底面図である。
【図５】（Ａ）は端子保持材を上下に連結する状態を示す斜視図、（Ｂ）は端子保持材を左右並列に連結する状態を示す斜視図、（Ｃ）は端子保持材を上下左右に連結すると共に位置決め材を取り付けた状態を示す斜視図である。
【図６】（Ａ）は端子保持材に位置決め材を連結した状態の斜視図、（Ｂ）は端子保持材と位置決め材の分解斜視図、（Ｃ）は位置決め材に対する端子保持材の取付位置を変えた状態の斜視図である。
【図７】（Ａ）は端子保持材の底面図、（Ｂ）は位置決め材の斜視図、（Ｃ）は位置決め材の断面図である。
【図８】サブハーネスの後入れ端子を本結束時にコネクタに後入れ挿入する過程を示す概略図である。
【図９】従来例の斜視図である。
【発明を実施するための形態】
【００１９】
以下、本発明の実施形態を図面を参照して説明する。
図１乃至図７に本発明の実施形態を示す。
図１に示すように、本実施形態では、サブハーネスＢ１では複数本の電線５０の一端に接続した端子を全てコネクタＣ１に接続し、該電線５０の他端に接続した端子のうち一部の端子をコネクタＣ２に接続し、残りの端子をコネクタＣ２に挿入せずに、後入れ端子１として形成している。該サブハーンスＢ１を本結束時に他のサブハーネスＢ２と結束し、該サブハーネスＢ２のコネクタ４０にサブハーネスＢ１の後入れ端子１を挿入してワイヤハーネスＷ／Ｈを組み立てている。
【００２０】
本実施形態では、後入れ端子１（以下、端子１と称す）は２個であり、該端子１を挿入するコネクタ４０は図２に示すように上下２段のコネクタであり、端子１を挿入する端子収容室４１ａ、４１ｂは下段の左端の２個である。
【００２１】
前記電線５０の端末に圧着接続する端子１は図３に示すように、タブ１ａの幅Ｓが０．６４ｍｍと極細で脆弱なオス端子である。該端子１はタブ１ａに連続する電線圧着部１ｂはタブ１ａより厚さ及び幅が大きく、該電線圧着部１ｂのバレル１ｃを電線５０の端末に圧着接続している。電線５０の端末に接続した端子１は、図４（Ａ）に示すように、電線圧着部１ｂの幅が電線５０の外径より大きく両側に突出している。
【００２２】
図２等に示すように、電線５０の端末に接続した端子１を収容保持する後入れ端子用仮保持治具１０を設けている。該後入れ端子用仮保持治具１０は、端子保持材１１と位置決め材１２の２部材からなる。端子１をコネクタ４０に後入れする時に端子保持材１１に位置決め材１２を連結するものとしている。よって、端子１をコネクタ４０に挿入するまでは図３（Ｂ）に示すように、端子保持材１１に電線端末に連結した端子１を収容保持しているだけで、該端子保持材１１に位置決め材１２は連結していない。  
なお、位置決め材１２を連結した端子保持材１１に端子１を挿入保持しても良いが、コネクタ４０への挿入前に搬送工程がある場合には、傘高になり、位置決め材１２の損傷が発生する恐れがあるため、連結しない方が良い。
【００２３】
端子保持材１１および位置決め材１２はいずれも樹脂成形品からなる。
端子保持材１１は、図３及び図４に示すように、本体１３と蓋１４とからなり、幅方向の側壁をヒンジ１５で開閉自在に結合し、反対側の本体１３の側壁１３ａに係止爪１５ａを設けると共に蓋１４の側壁１４ａに係止爪１５ａと結合する係止枠１５ｂを設けている。
【００２４】
図４に示すように、本体１３と蓋１４には上下対称の凹部１６ａ、１６ｂを設け、該凹部１６ａと１６ｂで端子１と該端子に接続した部分の電線５０を収容する保持溝１６を形成している。すなわち、本体１３の凹部１６ａで端子１および電線５０の下側部を嵌合し、蓋１４の凹部１６ｂで端子１および電線５０の上側部を嵌合する。本体の凹部１６ａに端子１と電線５０を挿入し、蓋１４を閉じて凹部１６ｂを被せた状態で、凹部１６ａと１６ｂで囲まれる断面円形の保持溝１６としている。
【００２５】
保持溝１６を構成する凹部１６ａ、１６ｂは長さ方向Ｌの前後両端を開口して、保持溝に前端開口１６ｃ、後端開口１６ｄを設けている。前端開口１６ｃは端子１をコネクタ４０へ押し込む際に押出口となり、後端開口１６ｄは端子１と接続した電線５０の引出口となる。
【００２６】
また、図４に示すように、凹部１６ａ、１６ｂは長さ方向の前側、即ち、コネクタ側は端子１の収容部１６ａ１、１６ｂ１とし、長さ方向の後側、即ち、電線引き出し側は電線５０の収容部１６ａ２、１６ｂ２としている、前側の端子の収容部１６ａ１、１６ｂ１の幅ｗ１を後側の電線の収容部１６ａ２、１６ｂ２の幅ｗ２より広くして、境界に段差１６ｓを設けている。この段差１６ｓによって凹部１６ａ、１６ｂに挿入した端子１は電線５０側へ引き抜かれることはなく収容保持できる。
前記収容部１６ａ１、１６ｂ１の幅ｗ１、収容部１６ａ２、１６ｂ２の幅ｗ２は収容保持する端子１および電線５０のサイズに応じて形成している。よって、収容する端子および電線サイズが相違すると、収容部１６ａ、１６ｂの形状を変更して端子保持材１を設けている。
【００２７】
また、端子保持材１１は、必要に応じて複数の端子保持材１１を並列に連結できるようにしている。そのため、本体１３の側壁１３ａに嵌合凸部１７ａを設け、他方側の側壁１３ｂに嵌合凹部１７ｂを設けている。これにより、図５（Ｂ）に示すように、並列する一方の端子保持材１１ーＡの嵌合凹部１７ｂに他方の端子保持材１１ーＢの嵌合凸部１７ａを嵌合することで４本の端子１を仮保持可能としている。
【００２８】
さらに、端子保持材１１は必要に応じて複数の端子保持材１１を上下に連結できるようにしている。そのため、図４（Ｂ）に示すように、本体１３の底壁１３ｕに嵌合凸部１３ｊと嵌合凹部１３ｋを設けている。一方、図５（Ａ）（Ｂ）に示すように、蓋１４の上壁に嵌合凸部１４ｊと嵌合凹部１４ｋを設けている。これにより、図５（Ａ）に示すように、並列する一方の端子保持材１１ーＡと他方の端子保持材１１ーＣを凹凸嵌合して上下連結できるようにしている。
【００２９】
前記のように、端子保持材１１を横方向に任意の個数並列に連結できると共に、縦方向に任意の個数上下に連結できる。その結果、図５（Ｃ）に示すように、上下２段で、各段が４極並列のコネクタ４０において、いずれの段および列の端子収容室に後入れ端子を挿入する場合においても、端子保持材１１を組み合わせて連結すると、任意の端子収容室と対向位置に後入れ端子を仮保持した状態で、コネクタ４０の前面にセットすることができる。
【００３０】
さらに、図６（Ｂ）に示すように、端子保持材１１の本体１３の側壁１３ａのコネクタ側の前端外面に着脱自在に、取付板１８をコネクタ側前方に突出させて設けている。具体的には、図７（Ａ）に示すように、本体の側壁１３ａに係止溝１３ｖを設ける一方、取付板１８の内面に係止溝１３ｖに挿入係止する係止突起１８ｖを設けている。
【００３１】
前記取付板１８は端子保持材１１に位置決め材１２を着脱自在に取り付けるものである。該取付板１８の外面に係止爪１８ａを設ける一方、図７（Ｂ）（Ｃ）に示すように、位置決め材１２の内面に被取付部１９を凹設し、該被取付部１９の底面に上下複数段の被係止段部１９ａを設けている。該被係止段部１９ａの任意の段に取付板１８の係止爪１８ａを係止し、端子保持材１１を位置決め材１２に高さ調整して着脱自在に連結できるようにしている。
【００３２】
前記位置決め材１２は、図２、６、７に示すように、コネクタ４０の一側外壁４０ａに当接させる縦枠部２１と、該コネクタ４０の上壁４０ｂに当接させる横枠部２２を備えたＬ字状としている。縦枠部２１の高さ寸法Ｈは上下２段のコネクタ４０の高さ寸法に合わせた寸法としている。該縦枠部２１の内面に、取付板１８を嵌合する凹部からなる前記被取付部１９を設けている。該被取付部１９の凹部底面からなる内面に前記上下複数段の被係止段部１９ａを設けている。
【００３３】
図６（Ａ）に示すように、被係止段部１９ａの下段側に取付板１８の係止爪１８ａを係止すると、位置決め材１２の縦枠部２１の下部に端子保持材１１が連結される。これにより、位置決め材１２の横枠部２２をコネクタ４０の上壁４０ｂに搭載した状態で、コネクタ４０の下段の端子収容室４１ａ、４１ｂと対向する位置に端子保持材１１が位置される。
一方、被係止段部１９ａの上段側に係止爪１８ａを係止すると、位置決め材１２の縦枠部２１の上部に端子保持材１１が連結され、コネクタ４０の上段の端子収容室と対向する位置に端子保持材１１が位置される。
【００３４】
前記端子保持材１１と位置決め材１２とからなる後入れ端子仮保持治具１０は、サブハーネスＢとして仮結束した状態で後入れ端子となる端子１を、図３に示すように、端子保持材１１内に収容保持するものである。即ち、本体１３の凹部１６ａに端子１と電線５０を挿入して蓋１４を被せ、該蓋１４を閉じて本体１３に係止しておく。この状態で、脆弱な端子１は保持溝１６内に完全に収容され、外部に露出しないため、端子１を確実に保護できる。
【００３５】
本結束時に他のサブハーネスＢ２のコネクタ４０に後入れする作業時に、端子保持材１１の取付板１８を位置決め材１２の縦枠部２１の内面の被取付部１９に連結する。その際、コネクタ４０の下段の端子収容室４１ａ、４１ｂに後入れの端子１、１を挿入するため、端子保持材１１は縦枠部２１の下部に取り付けて、図６（Ａ）に示す状態とする。
【００３６】
端子保持材１１と連結した位置決め材１２をコネクタ４０に外嵌し、図２に示すように、縦枠部２１をコネクタ４０の一側壁４０ａの外面に当接させ、横枠部２２をコネクタ４０の上壁４０ｂに当接させる。この状態で、連結した端子保持材１１のコネクタ側前面をコネクタ４０の端子挿入面４０ｍに当接させると、後入れ端子を挿入するコネクタ４０の端子収容室４１ａ、４１ｂが端子保持材１１により保持された端子１、１と対向して位置する。よって、端子保持材１１より外方に引き出されている端子１、１に接続する電線５０、５０を作業員が前方へ押し込むだけで、所要の端子収容室４１ａ、４１ｂに端子１、１をスムーズに押し込んで、端子収容室に設けられているランス（図示せず）に端子１、１に設けている係止部（図示せず）を係止することができる。
【００３７】
端子保持材１１で保持した端子１をコネクタ４０の上段に挿入する場合は、図６（Ｃ）に示すように、端子保持材１１を位置決め材１２の上部に連結すれば良い。
また、コネクタ４０の右側の端子収容室内４１ｄに後入れ端子１を挿入する場合、図５（Ｂ）に示すように、端子を収容していない端子保持材１１−Ａに端子１を収容した端子保持材１１−Ｂを並列に連結すればよい。
【００３８】
さらに、図５（Ｃ）に示すように、端子保持材１１−Ａと１１−Ｂを連結して位置決め材１２の下部に連結し、端子保持材１１−Ｃと１１−Ｄを連結して位置決め材１２の上部に連結すると、コネクタ４０の全端子収容室４１と４つの端子保持材１１−Ａ〜１１−Ｄに保持する端子を対向させることができ、上下段および左右列のいずれの端子収容室にも後入れ端子１を挿入することができる。
【００３９】
このように、本発明の後入れ端子の仮保持治具を用いると、コネクタの極数及び段数が変化しても、また、コネクタの端子の後入れ端子収容室の位置が変わっても、使用することができ、汎用性の高いものとすることができる。
また、タブ幅が１ｍｍ以下の脆弱端子が後入れ端子となった場合に、該後入れ端子をコネクタ挿入まで確実に保護できると共に、コネクタへの挿入時も端子保持材１１で保持した状態で作業員が端子１および電線をコネクタ側へ押して挿入するだけであるため、無理なく、脆弱な端子１に損傷が発生することなく後入れ作業を行うことができる。
【００４０】
本発明は前記実施形態に限定されず、位置決め材の縦枠を延ばして、３段、４段の大型コネクタに対応させることもできる。さらに、端子保持材は、１本の端子のみを保持する１極用としても良いし、３極、４極用としてもよい。
【符号の説明】
【００４１】
１  後入れ端子
１０  後入れ端子用仮保持治具
１１  端子保持材
１２  位置決め材
１３  本体
１４  蓋
１６  保持溝
１８  取付板
１９  被取付部
２１  縦枠部
２２  横枠部
４０  コネクタ
５０  電線
【図１】
2015011908.tif 000003
【図２】
2015011908.tif 000004
【図３】
2015011908.tif 000005
【図４】
2015011908.tif 000006
【図５】
2015011908.tif 000007
【図６】
2015011908.tif 000008
【図７】
2015011908.tif 000009
【図８】
2015011908.tif 000010
【図９】
2015011908.tif 000011